(57)【特許請求の範囲】
【請求項１】
移動可能な自立性を有する本体と、この本体の上方に配置した天板とを具備するナーシングカートであって、
前記本体が、前後方向に伸び複数のキャスタが下面に取付けられているフレームを有するベースと、前記ベースに対して固定され少なくとも後部に使用者が把持するための把持部を有するハンドルと、前記ベースの前後方向中央よりも後方で該ベースの左右方向中央より側方の部位から起立し前記天板の後部を下方から支持して当該天板を昇降可能とする天板支持用支柱とを備え、前記本体と前記天板との間に、前方から他の家具の構成部材の縁部を差し入れることができる前部収容空間を有するとともに、前記フレームの前記天板支持用支柱と同じ側の外側端が前記天板支持用支柱よりもさらに外側方に位置し、フレームの前記天板支持用支柱と同じ側の外側端部と天板とにより挟まれた位置に、他の家具の構成部材の縁部やオプション部材を配置可能な側部収容空間を有することを特徴とするナーシングカート。
【請求項２】
前記ハンドルが略又は完全に環状であり、その後端部に把持部を有する請求項１記載のナーシングカート。
【請求項３】
前記ベースが、前後方向に伸び複数のキャスタが下面に取付けられている左右に対をなすフレームを有しており、前記天板支持用支柱と同じ側にあるフレームが前記天板支持用支柱よりもさらに外側方に位置している請求項１又は２記載のナーシングカート。
【請求項４】
天板の前記天板支持用支柱と同じ側にある側縁が、平面視において前記天板支持用支柱よりもさらに外側方に存在している請求項１、２又は３記載のナーシングカート。
【請求項５】
前記ハンドルの前端部が、平面視において前記天板の前縁よりも前方に張り出している請求項１、２、３又は４記載のナーシングカート。
【請求項６】
前記ハンドルが、前記天板支持用支柱を除き前記本体の最上部に位置しており、このハンドルと前記天板との間に前記収容空間が形成されている請求項１、２、３、４又は５記載のナーシングカート。
【発明の詳細な説明】
【技術分野】
【０００１】
本発明は、病院等において用いられる移動可能なナーシングカートに関する。
【背景技術】
【０００２】
電子カルテ用ノートＰＣやレントゲンフィルムその他の資料、薬剤、器具類の収納及び運搬の用に供されるナーシングカートが公知である。この種のナーシングカートは、一般に、各種物品を収める収納トレーを保持する移動可能な本体の上方に、ノートＰＣ等を載せ置くための天板を配した基本構造を有している（例えば、特許文献１を参照）。
【０００３】
下記特許文献に開示されているように、ナーシングカートの本体は、下面にキャスタが取り付けられているベースと、ベースに対して固定され使用者が把持するための把持部を有するハンドルと、ベースから起立して天板を下方から支持する天板支持用支柱とを備えている。天板支持用支柱は伸縮自在であり、故に天板の高さ位置を任意に昇降させることができる。
【０００４】
既製のナーシングカートでは、ハンドルの把持部がハンドルの後端部に設定されている一方、天板支持用支柱はこの把持部の反対側の前方にあって天板の前部を支持するものとなっている。そのため、使用者が把持部を把持しながらナーシングカートを前方に押して移動させ、他の家具に近接させる際に、天板支持用支柱が他の家具の天板等と干渉してしまい、ナーシングカートをそれ以上前方に移動させ（て他の家具に近づけ）ることができず、結果としてナースステーション等の限られたスペースを大きく占有してしまう不都合を生ずることがあった。
【先行技術文献】
【特許文献】
【０００５】
【特許文献１】特開２００８−２０００８６号公報
【発明の概要】
【発明が解決しようとする課題】
【０００６】
本発明は以上の点を踏まえ、省スペース化に寄与するナーシングカートを提供することを主たる目的とする。
【課題を解決するための手段】
【０００７】
すなわち本発明に係るナーシングカートは、移動可能な自立性を有する本体と、この本体の上方に配置した天板とを具備するナーシングカートであって、前記本体が、前後方向に伸び複数のキャスタが下面に取付けられているフレームを有するベースと、前記ベースに対して固定され少なくとも後部に使用者が把持するための把持部を有するハンドルと、前記ベースの前後方向中央よりも後方で該ベースの左右方向中央より側方の部位から起立し前記天板の後部を下方から支持して当該天板を昇降可能とする天板支持用支柱とを備え、前記本体と前記天板との間に、前方から他の家具の構成部材の縁部を差し入れることができる前部収容空間を有するとともに、前記フレームの前記天板支持用支柱と同じ側の外側端が前記天板支持用支柱よりもさらに外側方に位置し、フレームの前記天板支持用支柱と同じ側の外側端部と天板とにより挟まれた位置に、他の家具の構成部材の縁部やオプション部材を配置可能な側部収容空間を有することを特徴とする。
【０００８】
このようなものであれば、前記天板支持用支柱及び前記把持部がともに前後方向中央よりも後方の部位に位置するとともに、前記本体と前記天板との間に、前方から他の家具の構成部材の縁部を差し入れることができる前部収容空間を有するので、他の家具の構成部材の縁部を従来のナーシングカートと比較してより深い位置まで位置づけることができる。換言すれば、このナーシングカートの天板と他の家具の縁部とをより多くの範囲で上下方向に重ね合わせることができ、省スペース化に寄与することができる。
【０００９】
このようなナーシングカートのハンドルの形状の一例として、前記ハンドルが略又は完全に環状であり、その後端部に把持部を有するものが挙げられる。なお、「ハンドルが略環状である」とは、ハンドルが環状の一部を破断したＣ字状をなすこと等を含む概念である。
【００１１】
前段で述べた構成を具体的に実現するための構成の一例として、前記ベースが、前後方向に伸び複数のキャスタが下面に取付けられている左右に対をなすフレームを有しており、前記天板支持用支柱と同じ側にあるフレームが前記天板支持用支柱よりもさらに外側方に位置しているものや、天板の前記天板支持用支柱と同じ側にある側縁が、平面視において前記天板支持用支柱よりもさらに外側方に位置しているものが挙げられる。
【００１２】
このようなナーシングカートの前部からも容易に操作できるようにするための構成の一例として、前記ハンドルの前端部が、平面視において前記天板の前縁よりも前方に張り出しているものが挙げられる。
【００１３】
このようなナーシングカートのハンドルの配置態様の一例として、前記ハンドルが、前記天板支持用支柱を除き前記本体の最上部に位置しており、このハンドルと前記天板との間に前記収容空間が形成されているものが挙げられる。
【発明の効果】
【００１４】
本発明の構成によれば、省スペース化に寄与するナーシングカートを提供することができる。
【図面の簡単な説明】
【００１５】
【図１】本発明の一実施形態に係るナーシングカートの全体斜視図。
【図２】同実施形態に係るナーシングカートの全体斜視図。
【図３】同実施形態に係るナーシングカートの背面図。
【図４】同実施形態に係るナーシングカートの左側面図。
【図５】同実施形態に係るナーシングカートの平面図。
【図６】図３におけるＡ−Ａ断面図。
【図７】図３におけるＢ−Ｂ断面図。
【図８】同実施形態に係るナーシングカートの使用態様を示す図。
【図９】本発明の他の実施形態に係るナーシングカートの全体斜視図。
【図１０】同実施形態に係るナーシングカートの平面図。
【図１１】本発明の他の実施形態に係るナーシングカートの左側面図。
【図１２】同実施形態に係るナーシングカートの受電部のコンセントへの取付態様を示す斜視図。
【発明を実施するための形態】
【００１６】
以下、本発明の一実施形態を図１〜図８を参照して説明する。
【００１７】
本実施形態に係るナーシングカートＣは、他の天板付家具たるナーステーブルＴと組み合わされて家具システムＳを構成する。
【００１８】
このナーシングカートＣは、図１〜図６に示すように、下面にキャスタ３１ａを取り付けてなるベース３と、このベース３の左側後部から起立させてなる天板支持用支柱４と、前記ベース３の右側後部から起立させてなる後支柱５と、前記ベース３の前部から左右１対に起立させてなる前支柱６と、前記天板支持用支柱４に昇降可能に支持させてなる天板２と、前記前支柱６、前記後支柱５及び前記天板支持用支柱４に接続され略環状をなすハンドル７と、前記天板２の下方において前記天板支持用支柱４、後支柱５及び前支柱６に支持させて左右に対をなして設けたトレー支持用のレール９と、このレール９に左右両側端部を奥行き方向にスライド可能に支持されるトレー８とを具備する。このナーシングカートＣは、左右非対称の形状をなしている。ここで、前記ベース３、前記天板支持用支柱４、前記後支柱５、前記前支柱６、前記ハンドル７、前記レール９及び前記トレー８が本実施形態に係る本体１を構成するものである。
【００１９】
前記ベース３は、図１〜図６に示すように、前後方向に伸び複数の前記キャスタ３１ａが下面に取付けられている左右に対をなすベースフレーム３１と、このベースフレーム３１の前端部間及び後端部間をそれぞれ接続し左右方向に延び前後に対をなす前連結材３２及び後連結材３３と、前連結材３２及び後連結材３３の左右方向中央部より左側の部分同士を接続し前後方向に伸びる横架材３４とを有する。前記キャスタ３１ａには、この種のナーシングカート等に用いられるキャスタとして周知のものと同様に、このキャスタ３１ａの転動を禁止する制動状態とこのキャスタ３１ａの転動を許可する非制動状態との間で変化可能なストッパを設けている。前記左右のベースフレーム３１の前端部には、弾性を有する材料により形成した緩衝材３１ｂを設けている。この緩衝材３１ｂは、ベースフレーム３１の先端を被覆するキャップ形状をなしている。右側のベースフレーム３１からは、後支柱５及び右側の前支柱６を起立させて設けている。また、横架材３４からは、天板支持用支柱４及び左側の前支柱６を起立させて設けている。換言すれば、前記天板支持用支柱４と同じ側すなわち左側のベースフレーム３１は、前記天板支持用支柱４よりもさらに外側方に位置している。
【００２０】
前記天板支持用支柱４は、図１〜図４及び図６に示すように、ガススプリングによって天板２を昇降可能に支持するものである。具体的には、ベース３の左右方向中央より側方に位置し、前記天板２の下面２７の側部に取付けられたロッド４１を、前記ベース３の後の連結材に固定した固定部４２に対して上下方向に突没可能に構成している。これらロッド４１及び固定部４２は、天板２の回転を防ぐべく、断面視矩形状をなしている。天板支持用支柱４の固定部４２は、後連結材３３上に取り付けられている。すなわち、ハンドル７の後述する把持部７４ａ下方側の連結材上に固着されている。また、この天板支持用支柱４には、トレー８支持用のレール９を取付けるための複数のレール支持孔４３を高さ方向に離間させて設けている。なお、天板２の下面２７側に取付けられたレバー２８を上下方向に操作することによって、この天板支持用支柱４のロッド４１が突没し、ベース３に対して天板２の高さ位置を変更可能にしている。
【００２１】
前記後支柱５及び前支柱６には、図１、図２及び図６に示すように、レール９を取付けるための複数のレール支持孔５１、６１を高さ方向に離間させて設けている。また、これら後支柱５及び前支柱６の上端には、前記ハンドル７を固着している。
【００２２】
前記ハンドル７は、図１〜図６に示すように、平面視略矩形状で、略環状をなしている。本実施形態では、このハンドル７は金属製のＣ字状をなすものであり、例えばアルミ製のパイプ材を利用して形成している。詳述すれば、このハンドル７は、前縁を形成する前ハンドルフレーム７１と、この前ハンドルフレーム７１の左右両端から後方に延出し後端部７２ａ、７３ａが上方に向けて傾斜する左右の側ハンドルフレーム７２、７３と、これら左右の側ハンドルフレーム７２、７３の後端同士を接続する後ハンドルフレーム７４とを備えている。そして、前記後ハンドルフレーム７４に把持部７４ａを設けている。ここで、左右の側ハンドルフレーム７２、７３同士は、ほぼ平行である。また、前ハンドルフレーム７１及び後ハンドルフレーム７４はいずれも床面に対して水平である。すなわち、前ハンドルフレーム７１及び後ハンドルフレーム７４も平行である。このハンドル７は、前記天板支持用支柱４を除き前記本体の最上部に位置している。換言すれば、ハンドル７の上方には、前記天板支持用支柱４の固定部４２の上端、ロッド４１及び前記天板２のみが存在する。そのため、このハンドル７と前記天板２との間に空間が形成されている。また、このハンドル７の前端部すなわち前ハンドルフレーム７１及び側ハンドルフレーム７２、７３の前端部は、平面視において前記天板２の前縁２３よりも前方に張り出している。さらに、このハンドル７の後端部すなわち後ハンドルフレーム７４及び側ハンドルフレーム７２、７３の後端部７２ａ、７３ａは、平面視において前記天板２の後縁２４よりも後方に張り出している。このハンドル７の左側端部すなわち左側の側ハンドルフレーム７３は、平面視において前記天板２の左側縁２５よりも内側に収まっている。一方、このハンドル７の右側端部すなわち右側の側ハンドルフレーム７２は、平面視において前記天板２の右側縁２６と略一致する。なお、このハンドル７の左側の側ハンドルフレーム７３は、前記天板支持用支柱４に対応する位置が破断している。すなわち、前記天板支持用支柱４の前面及び後面に対応する位置が、Ｃ字状をなすこのハンドル７の開口端である。そして、このハンドル７を、前記天板支持用支柱４に、コ字型ブラケット７５を介して溶接により取付けている。
【００２３】
前記トレー８は、図１〜図４及び図６に示すように、平面視略矩形状をなし、内部に収納空間を有するトレー本体８１と、このトレー本体８１の上縁部から外方に延伸させて設けた鍔部８２と、この鍔部８２の外側縁から垂下させて設けた垂下壁８３とを具備する。また、このトレー８は、ナーステーブルＴにより多くのナーシングカートＣを近接させることができるようにすべく、幅寸法よりも奥行き寸法が大きい縦長の形状を有する。
【００２４】
一方、前記レール９は、図１〜図４及び図６に示すように、前記天板支持用支柱４、後支柱５及び前支柱６に高さ位置を変更可能に支持されている。より具体的には、前記天板支持用支柱４、後支柱５及び前支柱６に複数のレール支持孔４３、５１、６１を高さ方向に離間させて設けているとともに、このレール支持孔４３、５１、６１に取り付けたレール支持具９１にレール９を支持させるようにしている。すなわち、このレール９は高さ位置を変更可能に前記天板支持用支柱４、後支柱５及び前支柱６に支持されている。
【００２５】
前記天板２は、図１〜図５及び図７に示すように、略矩形状をなすものであり、その下面の中央より左側かつ後側の部位を前記天板支持用支柱４に片持ち支持させている。より具体的には、この天板２は略正方形状をなし、幅寸法は前記ベース３の幅寸法と略等しく設定している。また、この天板２の前縁部には、該天板２上に載せ置いた物品の落下防止用の柵２１を設けている。詳述すれば、天板２の下面２７に、前記天板支持用支柱４のロッド４１と接続させるための取付部材２２を設けている。
【００２６】
この取付部材２２は、図７に示すように、天板２の下面２７の左側縁部に配置され前後方向に延出する取付フレーム２２１と、この取付フレーム２２１の前後両端部２２１ａからそれぞれ右側に延出する前後の補強フレーム２２２とを有する。換言すれば、取付フレーム２２１と補強フレーム２２２とは、いずれか一方の端部が他方の端部に接続されている。これら取付フレーム２２１及び補強フレーム２２２は、いずれも角パイプ状すなわち断面四角形状のものであり、溶接により一体に形成している。そして、この取付部材２２は、底面視コ字状をなしている。ここで、天板２の前記天板支持用支柱４と同じ側にある側縁すなわち左側縁は、平面視において前記天板支持用支柱４よりもさらに外側方に位置している。
【００２７】
また、この天板２には、図１〜図４、図６及び図７に示すように、前記天板支持用支柱４のガススプリングを作動させるためのレバー２８を設けている。詳述すれば、天板２の左後端部に、このレバー２８を取付けるためのレバー取付部２９を設けている。前記レバー２８は、天板２と一体的に昇降するもので、天板２に手を掛けながら操作可能である。このレバー２８は、その全体を平面視天板２に被覆される位置に配している。さらに、このレバー２８は、ナーステーブルＴの天板２と干渉しないようにすべく、また、このレバー２８に手が届きやすくすることにより天板２の昇降操作をさせやすくすべく、その操作端部をハンドル７側に向けて取り付けている。
【００２８】
しかして本実施形態では、図１〜図４及び図８に示すように、前記本体１と前記天板２との間、より具体的には前記ハンドル７と前記天板２との間に、前方又は側方から他の家具の構成部材の縁部を差し入れることができる収容空間ＳＰを有する。詳述すれば、この収容空間ＳＰは、天板２の前部の下方に形成される前部収容空間ＳＰ１と、天板２の左側部の下方に形成される側部収容空間ＳＰ２とからなる。前部収容空間ＳＰ１は、前方から他の家具の構成部材の縁部、より具体的にはナーステーブルＴの天板Ｔ１の縁部を差し入れることができる。この前部収容空間ＳＰ１は、天板２の下面２７の前部、より具体的には天板２の下面２７の天板支持用支柱４より前方の部位と前記ハンドル７の前部との間に形成される空間である。側部収容空間ＳＰ２は、側方から他の家具の構成部材の縁部、より具体的にはナーステーブルＴの天板Ｔ１の縁部を差し入れることができる。この側部収容空間ＳＰ２は、天板２の下面２７の左端部、より具体的には天板２の下面２７の天板支持用支柱４より左側方の部位と、前記ベース３の上面の左側端部との間に形成される空間である。この側部収容空間ＳＰ２には、カゴ等のオプション部材を配置可能である。例えば、ハンドル７の側ハンドルフレーム７３にカルテや小物等を収納しておくカゴを掛けることが可能である。なお、この側部収容空間ＳＰ２に図示しないカゴ等のオプション部材を配置しても、このオプション部材が平面視天板２に被覆されるように、天板２、側部収容空間ＳＰ２及びオプション部材の大きさを設定している。
【００２９】
ナーステーブルＴは、図８に示すように、天板Ｔ１と、この天板Ｔ１を支持する脚要素Ｔ２を具備したものである。前記脚要素Ｔ２は、それぞれ前後方向に延びる左右の脚ベースＴ２１と、この脚ベースＴ２１からそれぞれ起立し天板Ｔ１を支持する左右の脚支柱Ｔ２２と、これら左右の脚支柱Ｔ２２の下部間を連結するフレーム材Ｔ２３とを有する。そして、このナーステーブルＴにナーシングカートＣを前方から接近させた際に、前記図８に示すように、前記前部収容空間ＳＰ１にこのナーステーブルＴの天板Ｔ１が差し入れられる。すなわち、このナーステーブルＴの天板Ｔ１の下面２７側にナーシングカートＣの本体１が位置するとともに、このナーステーブルＴの天板Ｔ１の上面側にナーシングカートＣの天板２が重なり合った状態で位置する。なお、ナーシングカートＣの天板２を昇降させても、前記ナーステーブルＴの天板Ｔ１とナーシングカートＣの天板２とは干渉しないようになっている。すなわち、天板支持用支柱４を延ばして天板２を上昇させた場合には、天板２の下面２７と本体１のハンドル７との間の収容空間ＳＰの高さ寸法が大きくなり、天板支持用支柱４を縮めて天板２を下降させた場合には収容空間ＳＰの高さ寸法が小さくなるが、いずれの場合も前記ナーステーブルＴの天板Ｔ１を収容空間内に収めることができる。換言すると、ナーシングカートＣのハンドル７の高さ位置はナーステーブルＴの天板Ｔ１の下面の高さ位置よりも低く、ナーシングカートＣの天板２の取付部材２２の下面の高さ位置はナーステーブルＴの天板Ｔ１の上面の高さ位置よりも高くしている。具体的には、ナーステーブルＴの天板Ｔ１の上面の高さ位置が床面から８４９ｍｍであるのに対して、ハンドル７の上面の高さ位置は７７０ｍｍ以下、天板２を昇降可能範囲の再下端まで下降させた場合の取付部材２２の下面の高さ位置を８５０ｍｍ以上に設定するのが望ましい。また、ナーステーブルＴにナーシングカートＣを最大限近接させた状態では、図８に示すように、前記ベースフレーム３１の前端部に設けた緩衝材３１ｂが前記フレーム材Ｔ２３に衝き当たる。
【００３０】
以上に述べたように、本実施形態の構成によれば、前記天板支持用支柱４及び前記把持部７４ａがともに前後方向中央よりも後方の部位に位置するとともに、本体１と前記天板２との間に、前方又は側方からナーステーブルＴの天板Ｔ１の縁部を差し入れることができる収容空間ＳＰを有するので、ナーステーブルＴの天板Ｔ１の縁部を従来のナーシングカートと比較してより深い位置まで位置づけることができる。換言すれば、このナーシングカートＣの天板２とナーステーブルＴの天板Ｔ１の縁部とをより多くの範囲で上下方向に重ね合わせることができ、省スペース化に寄与することができる。
【００３１】
前記ハンドル７が略環状、より具体的にはＣ字状であり、その後端部に把持部７４ａを有するので、天板支持用支柱４の前面及び後面に対応する位置を開口端とするＣ字状をなしているので、このハンドル７を構成するパイプの両端部を接合する代わりに、上述したようにブラケット７５を介して前記天板支持用支柱４に取り付けるようにすればよく、少ない工数でこのハンドル７を前記天板支持用支柱４に取り付けることができる。
【００３２】
前記天板支持用支柱４が、ベース３の左右方向中央より左側方に位置し、前記天板２の左側部を下方から支持するので、ナーステーブルＴの側方にこのナーシングカートＣをより近接させることができる。
【００３３】
前記ベース３が、前後方向に伸び複数のキャスタ３１ａが下面に取付けられている左右に対をなすベースフレーム３１を有しており、左側のベースフレーム３１が前記天板２用支柱よりもさらに外側方に位置しているとともに、天板２の左側縁２５が、平面視において前記天板支持用支柱４よりもさらに外側方に位置しているので、これらベース３と天板２との間に側部収容空間ＳＰ２が形成されこの側部収容空間ＳＰ２にナーステーブルＴ等の他の家具を配置できる。
【００３４】
前記ハンドル７の前端部が、平面視において前記天板２の前縁２３よりも前方に張り出しているので、このハンドル７の前端部すなわち前ハンドルフレーム７１を把持することにより、このナーシングカートＣを前部からも容易に操作できる。
【００３５】
前記ハンドル７を前支柱６及び後支柱５の上端に固定して前記天板支持用支柱４を除き前記本体１の最上部に位置し、このハンドル７と前記天板２との間に前記ナーステーブルＴの天板Ｔ１を収容する収容空間ＳＰを形成しているので、ナーステーブルＴの天板Ｔ１の上方にこのナーシングカートＣの天板２を無理なくオーバーハングできる。
【００３６】
キャスタ３１ａが下面に取付けられている前記ベースフレーム３１が一体のものとして前後方向に延びているので、このようなベースフレーム３１の強度を確保することができる。
【００３７】
前記左右のベースフレーム３１の前端部に、弾性を有する材料により形成した緩衝材３１ｂを設けているので、この緩衝材３１ｂが、ナーシングカートＣをナーステーブルＴに最大限近接させた際にナーステーブルＴのフレーム材Ｔ２３に衝き当たり、これ以上ナーシングカートＣがナーステーブルＴに近接することを規制する。従って、天板支持用支柱４のロッド４１がナーステーブルＴの天板Ｔ１の縁部に衝き当たりナーステーブルＴの天板Ｔ１を傷つけることを防ぐことができる。
【００３８】
なお、本発明は以上に述べた実施の形態に限らない。
【００３９】
例えば、上述した実施形態では、ハンドルをＣ字状に形成しているが、ハンドルが全くの環状である構成を採用してもよい。この場合、図９及び図１０に示すように、ハンドルＡ７の側ハンドルフレームを天板支持用支柱の外側に位置付けるとともに、天板支持用支柱及び前支柱の外面に、ハンドルＡ７を取付けるためのブラケットＡ７０を設けるようにするとよい。このハンドルＡ７は、前縁を形成する前ハンドルフレームＡ７１と、この前ハンドルフレームＡ７１の左右両端から後方に延出し後端部Ａ７２ａ、Ａ７３ａが上方に向けて傾斜する左右の側ハンドルフレームＡ７２、Ａ７３と、これら左右の側ハンドルフレームＡ７２、Ａ７３の後端同士を接続する後ハンドルフレームＡ７４とを備えている。そして、前記後ハンドルフレームＡ７４に把持部Ａ７４ａを設けている。なお、図９及び図１０に示すナーシングカートにおいて、ハンドルＡ７及びブラケットＡ７０以外の各部位には、上述した実施形態におけるものと同一の名称及び符号を付している。もちろん、図示はしないが、ハンドルの側ハンドルフレームを天板支持用支柱の内側に位置付けるとともに、天板支持用支柱及び前支柱の内面に、ハンドルを取付けるためのブラケットを設けるようにしてもよい。このようにハンドルが全くの環状である構成を採用した場合、ハンドルの剛性を容易に確保することができる。さらに、このようなハンドルは、各支柱にねじ止めや溶接等の方法により固定して取り付けることもできる。すなわち、取り付けが容易である。そして、ハンドルが全くの環状である構成を採用した場合、ハンドルの任意の位置を把持することができる。
【００４０】
一方、Ｃ字状のハンドルを採用した場合においても、このハンドルの両開口端部で天板支持用支柱を挟む取付態様を採用してもよい。さらに、Ｃ字状をなすハンドルの開口端部を把持部に設ける態様、すなわち把持部が左右に分かれる態様を採用してもよい。
【００４１】
また、上述した実施形態では、天板支持用支柱は、前後方向中央よりも後方の左側に設けているが、天板支持用支柱を前後方向中央よりも後方の右側に設けてももちろんよい。また、上述した実施形態では、天板支持用支柱を１本のみ設け、天板をこの天板支持用支柱に片持ち支持させているが、天板支持用支柱を、前後方向中央よりも後方の左右両側に計２本設けてもよい。ここで、天板支持用支柱を２本設けた場合には、天板支持用支柱は断面視円形状をなすものであってもよい。
【００４２】
加えて、天板支持用支柱を前後方向中央よりも後方に設けているものであれば、この天板支持用支柱の左右方向位置がベースの左右いずれかの端縁と一致しているものであっても、また、天板の左右いずれかの端縁と一致しているものであっても、天板と本体との間に前方のみから他の家具の構成部材の縁部を差し入れることができる収容空間を形成することはできる。
【００４３】
さらに、上述した実施形態では、天板支持用支柱のロッドと接続させるための取付部材を底面視コ字状に形成しているが、この取付部材を底面視ロ字状に形成してもよい。すなわち、この取付部材が、天板の下面の左右両側縁部に配置されそれぞれ前後方向に延出する左右の取付フレームと、これら左右の取付けフレームの前後両端部同士をそれぞれ接続する前後の補強フレームとを有する構成を採用してもよい。加えて、前記取付部材は、１本のパイプフレームを折曲げて底面視コ字状ないし底面視ロ字状に形成したものを採用してもよい。
【００４４】
加えて、上述した実施形態では、ハンドルの前端部が、平面視において天板の前縁よりも前方に張り出しているが、ハンドルの前端部を、平面視において天板の前縁に一致させる態様や、平面視において天板の前縁よりも後方に収納する態様を採用してももちろんかまわない。
【００４５】
そして、上述した実施形態では、ハンドルが、天板支持用支柱を除き本体の最上部に位置しており、このハンドルと前記天板との間に前記収容空間が形成されているが、ハンドルを本体の高さ方向中間部に設けるようにしてももちろんよい。
【００４６】
加えて、このナーシングカートＣには、図１１及び図１２に示すように、受電部Ｐを設けてもよい。この受電部は、ナーステーブルＴに設けたコンセントＴ３から電力の供給を受け、天板上に配した図示しないノートパソコンを使用する際やナーシングカートＣに充電池又は充電器を設置しこの充電池又は充電器に充電する際等、ナーシングカートＣに設けた電気機器に電力を供給するためのものである。
【００４７】
ナーステーブルＴに設けたコンセントＴ３は、左右対称の形状を有しラッパ型に開口した案内容器Ｔ３１の内部に、マグネットＴ３２を上下左右に移動可能に設けている。また、前記案内容器Ｔ３１の内部のマグネットＴ３２の両側方には、電極Ｔ３３を設けている。一方、前記受電部Ｐは、半円柱状に形成した先端部Ｐ１ａを有する受電部本体Ｐ１と、この受電部本体Ｐ１をハンドル７に接続するための脚部Ｐ２とを備えている。この脚部Ｐ２は、ハンドル７に溶接やねじ止め等の方法により固定している。受電部本体Ｐ１の先端部Ｐ１ａには、前記コンセントＴ３のマグネットＴ３２に吸着可能な磁性体Ｐ１１、及び前記コンセントＴ３の電極Ｔ３３と接続可能な電極Ｐ１２を備えている。前記電極Ｐ１２は、前記磁性体Ｐ１１の両側方に設けている。この受電部Ｐを前記コンセントＴ３に接近させると、受電部本体Ｐ１がコンセントＴ３の案内容器Ｔ３１内に収納され、受電部Ｐの磁性体Ｐ１１とコンセントＴ３のマグネットＴ３２とが互いに引き合う。その際、マグネットＴ３２は案内容器Ｔ３１内で上下左右自由な方向に首振り可能であるので、ナーシングカートＣをナーステーブルＴに対して大まかに位置付けただけで、マグネットＴ３２と磁性体Ｐ１１との間で引き合いが起こる。すなわち、ナーシングカートＣの受電部Ｐの電極Ｐ１２とナーステーブルＴのコンセントＴ３の電極Ｔ３３とを細かく位置設定する必要はない。そして、受電部Ｐの電極Ｐ１２とコンセントＴ３の電極Ｔ３３とが接触する。すなわち、受電部本体Ｐ１の先端部Ｐ１ａがコンセントＴ３の案内容器Ｔ３１内に収まり得るように受電部Ｐ及びコンセントＴ３の大きさ及び形状を設定している。そして、これら受電部Ｐ及びコンセントＴ３の高さ位置は、ベースフレーム３１の前端に設けた緩衝材３１ｂがナーステーブルＴのフレーム材Ｔ２３に衝き当たる位置関係で、受電部Ｐの磁性体Ｐ１１とコンセントＴ３のマグネットＴ３２とが互いに引き合い、受電部Ｐの電極Ｐ１２とコンセントＴ３の電極Ｔ３３とが接触して通電することができるように設定している。上述したようにここで、図１１に示すナーシングカートＣ及びナーステーブルＴにおいて、受電部Ｐ及びコンセントＴ３以外の各部位には、上述した実施形態におけるものと同一の名称及び符号を付している。なお、このようなコンセントＴ３は、前記ナーステーブルＴ以外に、机やカウンター等、ナーシングカートＣとともに用いられ得る他の家具に設けてもよい。
【００４８】
その他、本発明の趣旨を損ねない範囲で種々に変更してもよい。
【符号の説明】
【００４９】
Ｃ…ナーシングカート
１…本体
２…天板
２３…天板の前縁
２５…天板の左側縁（天板支持用支柱と同じ側の側縁）
３…ベース
３１…ベースフレーム
３１ａ…キャスタ
４…天板支持用支柱
７…ハンドル
７４ａ…把持部
ＳＰ…収容空間
Ｔ…ナーステーブル（他の家具）
【図１】
0005648161.tif 000002
【図２】
0005648161.tif 000003
【図３】
0005648161.tif 000004
【図４】
0005648161.tif 000005
【図５】
0005648161.tif 000006
【図６】
0005648161.tif 000007
【図７】
0005648161.tif 000008
【図８】
0005648161.tif 000009
【図９】
0005648161.tif 000010
【図１０】
0005648161.tif 000011
【図１１】
0005648161.tif 000012
【図１２】
0005648161.tif 000013